(57)【要約】【課題】  利用可能なＡＥＤの正確な設置位置を提供する。【解決手段】  ＡＥＤの現在位置を測位する測位手段と、データ通信ネットワークを介してデータ通信を行うための通信端末とを備えるＡＥＤ。少なくとも当該自動体外除細動器を設置時に測位手段にて測位を行い、データ通信ネットワーク上の予め定められた地図サーバに通信端末にてその位置情報を通知する。【選択図】  図１
2014027618.tif 000002
【特許請求の範囲】
【請求項１】
当該自動体外除細動器の現在位置を測位する測位手段と、
データ通信ネットワークを介してデータ通信を行うための通信端末とを備え、
少なくとも当該自動体外除細動器を設置時に前記測位手段にて測位を行い、前記データ通信ネットワーク上の予め定められた地図サーバに、前記通信端末にてその位置情報を通知する
ことを特徴とする自動体外除細動器。
【請求項２】
前記自動体外除細動器は据付箱に据え付けて設置されるものであり、
前記据付箱への据付状態を検出するための据付状態検出手段を備え、
前記据付状態検出手段の出力に応じて、前記測位手段は現在位置を測位し、その位置情報を、前記通信端末を介して前記地図サーバに通知する
ことを特徴とする請求項１に記載の自動体外除細動器。
【請求項３】
前記自動体外除細動器の電源を入れたとき、前記据付状態検出手段により、前記自動体外除細動器が前記据付箱に設置されていることが検出されると、これを契機として前記測位手段は現在位置を測位し、その位置情報を、前記通信端末を介して前記地図サーバに通知することを特徴とする請求項２に記載の自動体外除細動器。
【請求項４】
前記据付状態検出手段が出力する据付状態の変化に応じて前記測位手段は現在位置を測位し、その位置情報を、前記通信端末を介して前記地図サーバに通知することを特徴とする請求項２に記載の自動体外除細動器。
【請求項５】
当該自動体外除細動器の現在位置を測位するための測位手段と、
データ通信ネットワークを介してデータ通信を行うための通信端末とを備える自動体外除細動器を用いる方法であって、
少なくとも前記自動体外除細動器を設置した時に前記測位手段にて測位を行う段階と、
前記データ通信ネットワーク上の予め定められた地図サーバに、前記通信端末にてその位置情報を通知する段階と
を含むことを特徴とする自動体外除細動器の位置情報提供方法。
【請求項６】
前記自動体外除細動器は据付箱に据え付けて設置されるものであり、
前記自動体外除細動器は前記据付箱への据付状態を検出するための据付状態検出手段を備え、
前記据付状態検出手段の出力に応じて、前記測位手段は現在位置を測位し、その位置情報を、前記通信端末を介して前記地図サーバに通知する
ことを特徴とする請求項５に記載の方法。
【請求項７】
前記自動体外除細動器の電源を入れたとき、前記据付状態検出手段により、前記自動体外除細動器が前記据付箱に設置されていることが検出されると、これを契機として前記測位手段は現在位置を測位し、その位置情報を、前記通信端末を介して前記地図サーバに通知することを特徴とする請求項６に記載の方法。
【請求項８】
前記据付状態検出手段が出力する据付状態の変化に応じて前記測位手段は現在位置を測位し、その位置情報を、前記通信端末を介して前記地図サーバに通知することを特徴とする請求項６に記載の方法。
【発明の詳細な説明】
【技術分野】
【０００１】
本発明は、自動体外式除細動器（じどうたいがいしきじょさいどうき、Automated External Defibrillator, 以下AED表記）の設置位置についての情報提供に関する。
【背景技術】
【０００２】
心室細動の治療には一刻も早く除細動を行うことが重要である。ＡＥＤを用いることにより、医療従事者ではない者であっても除細動が可能となる。このため、心室細動の治療を速やかに行うためには、必要なときにＡＥＤの所在地が速やかに入手できることが望まれる。
【０００３】
ＡＥＤが必要な状況に陥ると、従来は、ＡＥＤによる治療を受けたい者自身、或いは、その患者の近くにいた者が、目視により周辺のＡＥＤを探していた。
【０００４】
他には、ＡＥＤを設置した者が、インターネット上の地図サーバにＡＥＤの所在地を登録し、ＡＥＤを探す者はこの地図サーバにアクセスして自分の周辺に存在するＡＥＤを探すことが特許文献１に記載されている。即ち、通報者から位置情報を受け取ると、予めＡＥＤデータベースに登録されたＡＥＤの位置情報（ＡＥＤ設置場所情報）に基づいて最寄のＡＥＤを検索し、該当するＡＥＤ設置場所情報を通報者に通知するシステムが記載されている。
【０００５】
特許文献１に記載の技術によれば、ＡＥＤを新たに設置したとき、ＡＥＤデータベースに位置情報を登録するための操作を誰かが行なう必要がある。また、ＡＥＤの設置場所を変更したときには位置情報を更新する必要がある。
【０００６】
更に、本発明に関連したシステムが特許文献２に記載されている。同文献には、ＡＥＤの作動を契機として、予め登録したそのＡＥＤの位置を通信回線を介して通知することが記載されている。
【０００７】
他の関連技術が特許文献３に記載されている。同文献には、ＡＥＤの作動を契機として、そのＡＥＤの位置を測定し、測定した位置を通信回線を介して通知することが記載されている。
【０００８】
特許文献２、３に記載の技術は、いずれも、ＡＥＤの作動を契機としてそのＡＥＤの位置を通知するものである。従って、これらの技術によって、これから作動させようとしているＡＥＤの位置を知ることはできない。
【先行技術文献】
【特許文献】
【０００９】
【特許文献１】特開２００９−２２４９６７
【特許文献２】特開２０１１−７６１２５
【特許文献３】特開２０１０−２４６７１２
【発明の概要】
【発明が解決しようとする課題】
【００１０】
本発明はこのような状況に鑑みてなされたものであり、本発明が解決しようとする課題は、利用可能なＡＥＤの正確な設置位置を提供することである。
【課題を解決するための手段】
【００１１】
上述の課題を解決するため、本発明は、その一態様として、当該自動体外除細動器の現在位置を測位する測位手段と、データ通信ネットワークを介してデータ通信を行うための通信端末とを備え、少なくとも当該自動体外除細動器を設置時に前記測位手段にて測位を行い、前記データ通信ネットワーク上の予め定められた地図サーバに、前記通信端末にてその位置情報を通知することを特徴とする自動体外除細動器を提供する。
【００１２】
また、本発明は、他の一態様として、当該自動体外除細動器の現在位置を測位するための測位手段と、データ通信ネットワークを介してデータ通信を行うための通信端末とを備える自動体外除細動器を用いる方法であって、少なくとも前記自動体外除細動器を設置した時に前記測位手段にて測位を行う段階と、前記データ通信ネットワーク上の予め定められた地図サーバに、前記通信端末にてその位置情報を通知する段階とを含むことを特徴とする自動体外除細動器の位置情報提供方法を提供する。
【発明の効果】
【００１３】
本発明によれば、自動体外除細動器を設置したときにその位置情報が地図サーバに通知されるので、自動体外除細動器を設置した者がその位置情報を地図サーバに通知する操作を行なう必要がない。
【図面の簡単な説明】
【００１４】
【図１】本発明の一実施の形態である自動体外除細動器（ＡＥＤ）位置情報提供システム１を説明するための図である。
【図２】ＡＥＤ位置情報提供システム１の動作を説明するための図である。
【発明を実施するための形態】
【００１５】
本発明の一実施の形態であるＡＥＤ（Automated External Defibrillator）位置情報提供システム１について説明する。図１を参照すると、ＡＥＤ位置情報提供システム１は、ＡＥＤ２、地図サーバ３、移動通信端末４、緊急指令システム５、移動体通信ネットワーク６、データ通信ネットワーク７からなる。
【００１６】
ＡＥＤ２は、建築物の周辺や内部に設置される。自動車、電車等の車両に設置されることとしてもよい。ＡＥＤ２は、電源部２１、制御部２２、据付状態確認部２３、Ａ−ＧＰＳ受信部２４、移動通信端末部２５、細動センサ付除細動部２６を備える。
【００１７】
電源部２１は、ＡＥＤ２が動作するための電源をＡＥＤ２内の各部に供給する。電源部２１は、除細動器として作動させるための電源スイッチを備え、ＡＥＤ２を用いて除細動治療を行う者（施術者）が電源スイッチを入れると、これに応じて電源ON信号を制御部２２に出力する。また、電源部２１は、制御部２２から電源OFF信号を受け取ると、これに応じてＡＥＤ２の電源を切断する。
【００１８】
制御部２２は電源部２１と接続されており、電源部２１から電源ON信号を入力され、電源部２１に電源OFF信号を出力する。また、制御部２２は、据付状態確認部２３、Ａ−ＧＰＳ受信部２４、移動通信端末部２５、細動センサ付除細動部２６と接続され、これら各部の動作を制御し、各部を連携させる機能を有する。
【００１９】
据付状態確認部２３は制御部２２に接続されている。普段の利用していないときＡＥＤ２は不図示の据付箱に据え付けて設置される。据付状態確認部２３は、ＡＥＤ２が据付箱に据え付けられた状態にあるか否かを示す情報である据付状態情報を制御部２２に通知する。ＡＥＤ２が据付箱に設置されている状態は、ＡＥＤ２が所定の場所に設置された状態である可能性が高い。一方、ＡＥＤ２が据付箱に設置されていない状態は、ＡＥＤ２が除細動のために利用されている、或いは、利用されようとしている状態である可能性が高い。本発明はこれを利用して、現在のＡＥＤ２の位置情報が、ＡＥＤ２の設置位置を示すものなのか、ＡＥＤ２を用いて除細動を行なおうとしている現場或いはそこまでの途中の位置を示すものなのかを区別する。
【００２０】
Ａ−ＧＰＳ受信部２４は、Ａ−ＧＰＳ（Ａｓｓｉｓｔｅｄ  Ｇｌｏｂａｌ  Ｐｏｓｉｔｉｏｎｉｎｇ  Ｓｙｓｔｅｍ）の受信機であり、制御部２２及び移動通信端末部２５に接続されている。Ａ−ＧＰＳ受信部２４は、制御部２２の制御の元、移動通信端末部２５と連携してＡＥＤ２の位置を測位する。Ａ−ＧＰＳの受信機は、ＧＰＳ衛星から受信するＧＰＳ信号に加えて、移動体通信ネットワーク６の基地局から受信する補助信号に基づいて測位を行うため、ＧＰＳ信号の受信状態が良好ではない室内であっても測位が可能になる場合がある。
【００２１】
Ａ−ＧＰＳ受信部２４によって測位した位置情報をＡＥＤ位置情報と呼ぶものとする。ＡＥＤ位置情報には、たとえば、ＡＥＤ２を据付箱に据え付けたときの位置を示すＡＥＤ設置位置情報、及び、ＡＥＤ２を用いて除細動を行った位置を示すＡＥＤ稼動位置情報がある。Ａ−ＧＰＳ受信部２４は、ＡＥＤ設置位置情報やＡＥＤ稼動位置情報等のＡＥＤ位置情報を、移動通信端末部２５を介して、地図サーバ３や緊急指令システム５に送信する。
【００２２】
移動通信端末部２５は、制御部２２とＡ−ＧＰＳ受信部２４に接続されている。移動通信端末部２５は、移動体通信ネットワーク６の通信方式に適合した端末装置であり、Ａ−ＧＰＳ受信部２４がＡＥＤ位置情報を求める際に連携して動作する。移動通信端末部２５は、Ａ−ＧＰＳ受信部２４からＡＥＤ位置情報を受け取って、移動体通信ネットワーク６及びデータ通信ネットワーク７を介して地図サーバ３に送信する。移動通信端末部２５は、Ａ−ＧＰＳ受信部２４からＡＥＤ位置情報を受け取って、移動体通信ネットワーク６を介して緊急指令システム５に送信する。更に、移動通信端末部２５は、細動センサ付除細動部２６が除細動の治療の際に取得した情報を、移動体通信ネットワーク６を介して送信する。
【００２３】
細動センサ付除細動部２５は、除細動の治療を受ける者（患者）に取り付けて、患者の細動状態を測定する細動センサと、患者に除細動の治療を行う一般的な自動体外式除細動器に対応する装置とからなる。細動センサ付除細動部２５は、制御部２２に接続されており、制御部２２の制御の元で、患者に対して除細動動作を行う。また、細動センサ付除細動部２５は、患者を測定して細動状態情報を取得し、制御部２２に通知する。
【００２４】
地図サーバ３は、ネットワークを介して地図データを提供するサービスを行う者である、地図コンテンツプロバイダが管理・運営するサーバコンピュータである。地図サーバ３は、移動体通信ネットワーク６及びデータ通信ネットワーク７を介して受信したＡＥＤ設置位置情報を登録する。また、登録したＡＥＤ設置位置情報をデータ通信ネットワーク７上に公開する。データ通信ネットワーク７を介して受信した要求に応じて、ＡＥＤ設置位置情報を情報閲覧者に開示する。特に、移動通信端末４からデータ通信ネットワーク７を介して位置情報を受信すると、地図サーバ３は、登録されているＡＥＤの設置位置情報の中から、移動通信端末４から受信した位置情報が示す位置の周辺に存在するＡＥＤの設置位置情報を検索して、移動通信端末４に通知する。
【００２５】
移動通信端末４は移動体通信ネットワーク６の端末装置である。具体的には、スマートフォン４ａ、タブレット端末４ｂ、携帯電話端末等、各種の移動通信端末を移動通信端末４として用いることができる。移動通信端末４は、移動体通信ネットワーク６及びデータ通信ネットワーク７を介して地図サーバ３に位置情報を送信する。また、送信した位置情報に応答して、地図サーバ３が送信したＡＥＤ設置位置情報を、移動体通信ネットワーク６及びデータ通信ネットワーク７を介して受信する。移動通信端末４は不図示の画像表示装置やスピーカを備え、受信したＡＥＤ設置位置情報を、移動通信端末４のユーザに対して文字、画像、音声等として出力する。
【００２６】
緊急指令システム５は典型的には消防署に設置されるシステムである。ＡＥＤ２が除細動器として稼動した位置を示す情報（ＡＥＤ稼動位置情報）を、移動体通信ネットワーク６を介してＡＥＤ２から受信する。また、除細動器として稼動したＡＥＤ２が、除細動の治療を受けた者（患者）から取得した情報（細動情報）を、移動体通信ネットワーク６を介してＡＥＤ２から受信する。
【００２７】
移動体通信ネットワーク６はたとえば携帯電話ネットワークであり、たとえばＡＥＤ設置位置情報、ＡＥＤ稼動位置情報、細動状態情報を伝送する。
【００２８】
データ通信ネットワーク７はたとえばインターネットであり、たとえばＡＥＤ設置位置情報を伝送する。
【００２９】
次に、ＡＥＤ位置情報提供システム１の動作について図２を参照して説明する。
【００３０】
（ＡＥＤ位置登録）
新規のＡＥＤや、別の場所から移動したＡＥＤを次のように登録する。
【００３１】
（１）電源部２１は、起動時に(ａ)起動情報を制御部２２に通知する。 
（２）制御部２２は、据付状態確認部２３へ(ｂ)据付状態確認指示を通知する。 
（３）据付状態確認部２３は、ＡＥＤ２が据付箱に据え付けられているかの状態を確認し、据付状態であることを(ｃ)据付状態情報として通知する。 
（４）制御部２２は、据付状態であることを示す(ｃ)据付状態情報を踏まえ、A-GPS機能部２４にAED２の現在位置を計測・測定させる（ｄ）制御情報を通知する。 
（５）A-GPS機能部２４は、据付状態での同AED２の位置を特定した(ｅ)位置情報を携帯電話機能部２５に通知する。 
（６）携帯電話機能部２５は、(ｅ)位置情報を受信すると共に、制御部２２から(ｆ)地図サイト発信制御情報を入力して、地図サーバ３へ向けて携帯電話網６、インターネット７を介して(ｇ)AED設置位置情報を発信する。 
（７）地図サーバ３は、(g)AED設置位置情報を受信したら地図データベースに登録する。登録が無事終了すると、地図サーバ３は、(ｈ)登録完了情報を、インターネット７、携帯電話網６を介して携帯電話機能部２５へ通知する。 
（８）携帯電話機能部２５は、(ｈ)登録完了情報を受信したことを制御部２２へ(ｉ)位置情報登録完了情報で通知する。 
（９）制御部２２は、(ｉ)位置情報登録完了情報を受信することにより、電源部２１へ(ｊ)電源断制御情報を通知し、AEDの電源をおとす。
【００３２】
更に、制御部２２は、据付状態確認部２３が据付状態の変化を検出するのに応じて（１）−（９）の動作を実行することとしてもよい。また、制御部２２は、予め定めた期間（例えば１週間、１ヶ月等）毎に（１）−（９）の動作を実行することとしてもよい。このような動作により、ＡＥＤ２の設置位置が変更されたとき、地図サーバ３に登録のＡＥＤ２の設置位置情報を、人手を介することなく更新することができる。
【００３３】
（ＡＥＤ検索）
ＡＥＤを利用するためにＡＥＤの設置位置を探している人（以下施術者と記す）は、次のようにして近くのＡＥＤの設置位置を知る。
【００３４】
（１）施術者は、自分のスマートフォン４ａを用いて、携帯電話網６、インターネット７を介して地図サーバ３にアクセスして、施術者自身の現在位置を示す位置情報を地図サーバ３に通知する。
【００３５】
この位置情報は、施術者がスマートフォン４ａのタッチスクリーン等の入力装置を介して入力することとしてもよいし、スマートフォン４ａがＧＰＳ受信機を備える場合は、そのＧＰＳ受信機にて測位した位置情報を地図サーバ３に通知することとしてもよい。
【００３６】
（２）位置情報を通知された地図サーバ３は、地図データベースにてその位置情報の最寄のＡＥＤ設置位置情報、或いは、その位置情報から所定の距離内にあるＡＥＤ設置位置情報を取得し、（ｌ）ＡＥＤ設置位置情報として、インターネット７、形態電話網６を介してスマートフォン４ａに通知する。
【００３７】
或いは、施術者はタブレット端末４ｂを用いて同様に地図サーバ３にアクセスして（ｎ）ＡＥＤ設置位置情報を入手することとしてもよい。ここで施術者がＡＥＤ設置位置情報を入手するために用いる端末としては、スマートフォン４ａ、タブレット端末４ｂのような移動通信端末が好適ではあるが、必ずしもそれに限定されるものではなく、地図サーバ３は固定端末に対してもＡＥＤ設置位置情報を提供してよい。
【００３８】
（ＡＥＤ動作報告）
施術者は、上述のようにして取得したＡＥＤ設置位置情報をたよりにＡＥＤ２を探し出し、据付箱からＡＥＤ２を取り出して、ＡＥＤ２を用いた除細動の対象となる者（以下患者と記す）の元へＡＥＤ２を運搬する。患者の元に運搬した後、施術者がＡＥＤ２の電源スイッチを入れると、ＡＥＤ２は次のように動作する。
【００３９】
（１）電源部２１は起動時の(ｏ)起動情報を制御部２２に通知する。 
（２）制御部２２は、据付状態確認部２３へ(p)据付状態確認指示を通知する。 
（３）据付状態確認部２３は、ＡＥＤ２が据付箱に据え付けられているかの状態を確認し、据付状態でないことを(q)否据付状態情報を通知する。 
（４）制御部２２は、据付状態でないことを示す(q)否据付状態情報を踏まえ、(r)制御情報を細動センサ付除細動部２６に通知し、除細動動作を一度動作させる。 
（５）制御部２２は、一度目の除細動動作終了後に、A-GPS機能部２４にAEDの現在位置を計測・測定させる(s)制御情報を通知する。 
（６）A-GPS機能部４は、除細動動作を実施したAED２の位置を特定した(t)位置情報を携帯電話機能部２５に通知する。 
（７）携帯電話機能部２５は、(t)位置情報を受信すると共に、制御部２２から(u)緊急指令システム発信制御情報を入力して、緊急指令システム５へ向けて携帯電話網６を介して(v)AED稼働位置情報を発信する。 
（８）(v)AED設置位置情報の発信後、制御部２２は、(w)制御情報を細動センサ付除細動部２６に通知し、除細動動作を動作させ細動センサにより細動状況を確認する。 
（９）細動センサ付除細動部２６は、細動センサより得られた(x)細動状況情報を制御部２２に通知する。 
（１０）制御部２２は、(x)細動状況情報を緊急指令システム５に通信するため、携帯電話機能部２５へ(y)細動状況情報を通知する。 
（１１）携帯電話機能部２５は、(y)細動状況情報を制御部２２より受信し、再度緊急指令システム５へ向けて携帯電話網６を介して(ｚ)細動状況情報を発信する。緊急指令システム５は、緊急時にＡＥＤ２を稼働させた場所をタイムリーに且つ正確に認識することが出来るとともに、その時の細動状況を確認することが出来るようになり適切な対応への指令が可能となる。
【００４０】
以上、本発明を実施の形態に則して説明したが、本発明はこれに限定されるものではない。
【符号の説明】
【００４１】
１  ＡＥＤ（Automated External Defibrillator）位置情報提供システム
２  ＡＥＤ
３  地図サーバ
４ａ  スマートフォン
４ｂ  タブレット端末
５  緊急指令システム
６  移動体通信ネットワーク（携帯電話網）
７  データ通信ネットワーク（インターネット）
２１  電源部
２２  制御部
２３  据付状態確認部
２４  Ａ−ＧＰＳ機能部
２５  携帯電話機能部
２６  細動センサ付除細動器
【図１】
2014027618.tif 000003
【図２】
2014027618.tif 000004